【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
コンピュータによって実行されると、
保存期日を規定する保存期間タイプを受け取ることであって、前記保存期間タイプが、少なくとも１つのアイテムのプロパティに基づくプロパティ期間、前記少なくとも１つのアイテムのワークフローによって設定されたワークフロー期間、およびユーザによって定義されたカスタムコードに基づくカスタム期間のうちの少なくとも１つを備え、前記保存期日、前記ワークフロー期間、および前記カスタム期間のうちの少なくとも１つは、固定期日に基づかず、前記少なくとも１つのアイテムが変更されたときに変化することと、
現在の日付よりも前の、前記保存期間タイプに基づく、関連付けられた、計算された保存期日を有する前記少なくとも１つのアイテムを定期的に識別することと、
前記現在の日付よりも前の前記保存期日を有する各アイテムについて、
保存公式に基づいて前記保存期日を再計算することであって、前記保存公式がアイテムタイプに対応し、ユーザ定義の保存ポリシーを実施することと、
前記再計算された保存期日が現在の日付よりも前であるかどうかを判定することと、
再計算された保存期日が前記現在の日付よりも前である各アイテムについて保存アクションを実行することと
を前記コンピュータに実行させるコンピュータ実行可能命令を格納したことを特徴とするコンピュータ可読記憶メディア。
【請求項２】
コンピュータによって実行されると、
前記コンピュータが前記現在の日付よりも前の前記関連付けられた保存期日を有する前記少なくとも１つのアイテムを定期的に識別するのに先立って、前記保存公式を利用することによって前記少なくとも１つのアイテムの各々について前記保存期日を計算すること
を前記コンピュータに実行させるさらなるコンピュータ可読命令を備えたことを特徴とする請求項１に記載のコンピュータ可読記憶メディア。
【請求項３】
コンピュータによって実行されると、
前記コンピュータが前記現在の日付よりも前の前記関連付けられた保存期日を有する前記少なくとも１つのアイテムを定期的に識別するのに先立って、プラグインを実行することによって前記少なくとも１つのアイテムの各々について前記保存期日を計算すること
を前記コンピュータに実行させるさらなるコンピュータ可読命令を備えたことを特徴とする請求項１に記載のコンピュータ可読記憶メディア。
【請求項４】
前記保存公式は、日付および時間のプロパティの少なくとも１つに基づいて前記保存期日を計算するように機能することを特徴とする請求項１に記載のコンピュータ可読記憶メディア。
【請求項５】
コンピュータによって実行されると、
前記少なくとも１つのアイテムの１つを開く要求を受け取ることと、
前記要求に応答して、前記保存公式を利用して、開かれる前記アイテムについて前記保存期日を再計算することと
を前記コンピュータに実行させるさらなるコンピュータ可読命令を備えたことを特徴とする請求項４に記載のコンピュータ可読記憶メディア。
【請求項６】
前記保存アクションは、アイテムを削除するように機能することを特徴とする請求項５に記載のコンピュータ可読記憶メディア。
【請求項７】
前記保存アクションは、アイテムを移動するように機能することを特徴とする請求項５に記載のコンピュータ可読記憶メディア。
【請求項８】
前記保存アクションは、アイテムをアーカイブするように機能することを特徴とする請求項５に記載のコンピュータ可読記憶メディア。
【請求項９】
前記保存アクションは、アイテムのタイプを変更するように機能することを特徴とする請求項５に記載のコンピュータ可読記憶メディア。
【請求項１０】
公式に基づくドキュメント保存のための方法であって、
少なくとも１つのアイテムについて保存公式および保存アクションを受け取ることであって、前記保存公式がアイテムタイプに対応し、ユーザ定義の保存ポリシーを実施し、前記ユーザ定義の保存方針は、前記少なくとも１つのアイテムのプロパティに基づいて、保存期日を規定するためのプロパティ期間、前記少なくとも１つのアイテムのワークフローによって設定される、前記保存期日を規定するためのワークフロー期間、およびユーザによって定義されたカスタムコードに基づいて、前記保存期日を規定するためのカスタム期間のうちの少なくとも１つを備え、前記保存期日、前記ワークフロー期間、および前記カスタム期間のうちの少なくとも１つは、固定期日に基づかず、前記少なくとも１つのアイテムが変更されたときに変化することと、
前記保存公式を利用して前記少なくとも１つのアイテムの各々について前記保存期日を計算することと、
現在の日付よりも早い保存期日を有する前記アイテムの各々を識別し、現在の日付よりも早い保存期日を有する前記少なくとも１つのアイテムの各々について、
前記保存公式を利用して前記保存期日を再計算し、
前記再計算された保存期日が前記現在の日付よりも早いかどうかを判定し、
前記現在の日付よりも早い再計算された保存期日を有する各アイテムについて前記保存アクションを実行する
ように機能する保存サービスを実行することと
を備えることを特徴とする方法。
【請求項１１】
前記保存公式は、少なくとも１つの日付および少なくとも１つの時間のプロパティの少なくとも１つに基づいて前記保存期日を計算するように機能することを特徴とする請求項１０に記載の方法。
【請求項１２】
前記保存サービスは、スケジュールに基づいて定期的に実行されることを特徴とする請求項１１に記載の方法。
【請求項１３】
前記保存サービスは、サーバコンピュータにおいて実行されることを特徴とする請求項１２に記載の方法。
【請求項１４】
前記保存サービスは、クライアントコンピュータにおいて実行されることを特徴とする請求項１２に記載の方法。
【請求項１５】
前記少なくとも１つのアイテムの１つを開く要求を受け取ることと、
前記要求に応答して、前記保存公式を利用して、開かれる前記アイテムについて前記保存期日を再計算することと
をさらに備えることを特徴とする請求項１１に記載の方法。
【請求項１６】
前記保存アクションは、アイテムを削除するように機能することを特徴とする請求項１５に記載の方法。
【請求項１７】
前記保存アクションは、アイテムを移動するように機能することを特徴とする請求項１５に記載の方法。
【請求項１８】
前記保存アクションは、アイテムをアーカイブするように機能することを特徴とする請求項１５に記載の方法。
【請求項１９】
前記保存アクションは、アイテムのタイプを変更するように機能することを特徴とする請求項１５に記載の方法。
【請求項２０】
コンピュータによって実行されると、
保存期日を規定する保存期間タイプを受け取ることであって、前記保存期間タイプが、少なくとも１つのアイテムのプロパティに基づくプロパティ期間、前記少なくとも１つのアイテムのワークフローによって設定されたワークフロー期間、およびユーザによって定義されたカスタムコードに基づくカスタム期間のうちの少なくとも１つを備え、前記保存期日、前記ワークフロー期間、および前記カスタム期間のうちの少なくとも１つは、固定期日に基づかず、前記少なくとも１つのアイテムが変更されたときに変化し、保存公式は、日付および時間のプロパティの少なくとも１つに基づいて前記保存期日を計算するように機能することと、
前記保存公式を利用し、プラグインを実行することによって前記少なくとも１つのアイテムの各々について前記保存期日を計算することと、
現在の日付よりも前の、前記保存期間タイプに基づく、関連付けられた、計算された保存期日を有する前記少なくとも１つのアイテムを定期的に識別することと、
前記現在の日付よりも前の前記保存期日を有する各アイテムについて、
保存公式に基づいて前記保存期日を再計算することであって、前記保存公式がアイテムタイプに対応し、ユーザ定義の保存方針を実施することと、
前記再計算された保存期日が現在の日付よりも前であるかどうかを判定することと、
前記現在の日付よりも前である再計算された保存期日を有する各アイテムについて保存アクションを実行することであって、前記保存アクションは、アイテムを削除し、アイテムを移動し、アイテムをアーカイブし、アイテムのタイプを変更するように機能することと、
前記少なくとも１つのアイテムの１つを開く要求を受け取ることと、
前記要求に応答して、前記保存公式を利用して、開かれる前記アイテムについて前記保存期日を再計算することと
を前記コンピュータに実行させるコンピュータ実行可能命令を格納したことを特徴とするコンピュータ可読記憶メディア。